(57)【要約】【課題】原稿の一度の搬送で原稿の表裏両面に形成された画像を読み取る際に、表裏両面の読み取りデータの画像濃度差を簡単な方法でかつ高精度に低減することが可能な画像処理装置、画像処理方法、およびコンピュータが実行可能なプログラムを提供することを目的とする。【解決手段】同一の印刷媒体の第１面と第２面に第１面用のテストチャートと第２面用のテストチャートとをそれぞれ出力する場合、第１面と第２面で異なる構成のパターンを出力して、キャリブレーションを行う。【選択図】        図１
2010114648.tif 000002
【特許請求の範囲】
【請求項１】
テストチャートのパターンを読み取ってキャリブレーションを行う画像処理装置において、
原稿を給紙する給紙部と、
前記給紙部により給紙された前記原稿が搬送される搬送路と、
前記搬送路の一方の側から前記原稿の第１面の画像を読み取る第１の読み取り部と、
前記一方の側とは前記搬送路を介して対向する他方の側から原稿の第２面の画像を読み取る第２の読み取り部と、
印刷媒体の両面印刷が可能に構成されており、画像を前記印刷媒体に印字出力する画像出力手段と、
前記画像出力手段に、複数のパッチのパターンで構成されるテストチャートを前記印刷媒体に印字出力させるテストチャート出力手段と、
を備え、
前記テストチャートは、第１面と第２面とでパターンが異なることを特徴とする画像処理装置。
【請求項２】
前記第１の読み取り部は、単一のイメージセンサで構成されており、
前記第２の読み取り部は、複数のイメージセンサで構成されており、
前記テストチャートの第２面は、前記複数のイメージセンサの繋ぎ目ではない位置にパターンが形成されることを特徴とする請求項１に記載の画像処理装置。
【請求項３】
前記テストチャートの第１面は、前記複数のイメージセンサの繋ぎ目に相当する位置にパターンが形成されることを特徴とする請求項２に記載の画像処理装置。
【請求項４】
前記第１の読み取り部および前記第２の読み取り部の少なくとも一方は、複数のイメージセンサで構成されており、
前記複数のイメージセンサで構成される読み取り部に対応する前記テストチャートの面では、前記複数のイメージセンサの繋ぎ目に相当する位置から離れた位置に色版のパターンを形成し、前記複数のイメージセンサの繋ぎ目に相当する位置の近傍にＫ版のパターンを形成することを特徴とする請求項１に記載の画像処理装置。
【請求項５】
前記第１の読み取り部および第２の読み取り部の特性に従って、前記テストチャートの第１面および第２面のパッチ数をそれぞれ変化させて出力することを特徴とする請求項１記載の画像処理装置。
【請求項６】
前記特性は、リニア特性であることを特徴とする請求項５記載の画像処理装置。
【請求項７】
テストチャートのパターンを読み取ってキャリブレーションを行う画像処理方法において、
給紙部により給紙された原稿が搬送される搬送路の一方の側から前記原稿の第１面の画像を第１の読み取り部により読み取る工程と、
前記一方の側とは前記搬送路を介して対向する他方の側から前記原稿の第２面の画像を第２の読み取り部により読み取る工程と、
複数のパッチで構成されるテストチャートを印刷媒体に印字出力する工程と、
を含み、
前記テストチャートは、第１面と第２面とでパターンが異なることを特徴とする画像処理方法。
【請求項８】
テストチャートのパターンを読み取ってキャリブレーションを行う画像処理装置に搭載されるプログラムにおいて、
コンピュータに、
給紙部により給紙された原稿が搬送される搬送路の一方の側から前記原稿の第１面の画像を第１の読み取り部により読み取る工程と、
前記一方の側とは前記搬送路を介して対向する他方の側から前記原稿の第２面の画像を第２の読み取り部により読み取る工程と、
複数のパッチのパターンで構成されるテストチャートを前記印刷媒体に印刷して出力する工程と、を実行させ、
前記テストチャートは、第１面と第２面とでパターンが異なることを特徴とするコンピュータが実行可能なプログラム。
【発明の詳細な説明】
【技術分野】
【０００１】
本発明は、画像処理装置、画像処理方法、およびコンピュータが実行可能なプログラムに関し、詳細には、テストチャートのパターンを読み取ってキャリブレーションを行う画像処理装置、画像処理方法、およびコンピュータが実行可能なプログラムに関する。
【背景技術】
【０００２】
電子写真方式やインクジェット方式の複写機では経時変化に伴い階調特性が変化することが知られている。この変化を校正するためにキャリブレーションが行われている。ここで、キャリブレーションとは、濃度の異なる複数のパッチからなるテストチャートを用紙上に印刷し、印刷したテストチャートをスキャナで読み取り、読み取った濃度情報に基づいて階調補正を行うことである。かかるキャリブレーションを行うことによって、経時変化による階調特性の変化が抑えられ目標値に近い階調特性を得ることが可能となる。
【０００３】
原稿を搬送する原稿パスの表裏両面に２つの画像読み取りユニットを設け、１回の原稿搬送にて原稿の表裏両面を同時に読み取り、両面印刷が可能な複写機が提案されている。原稿の読み取りに際しては、例えば蛍光灯を光源とする光を原稿に照射させ、原稿からの反射光を、縮小光学系を介して光センサで読み取る方式が採用されている。かかる方式における光センサとしては、例えば１次元のＣＣＤ(Charge Coupled Device)センサが用いられ、１ライン分を同時に処理している。この方式では、ライン方向(スキャンの主走査方向)の１ラインの読み取りが終了すると、原稿を主走査方向とは直交する方向(副走査方向)に微少距離移動させ、次のラインを読み取る。これを原稿サイズ全体に亘って繰り返し、１ページの原稿読み取りを完了させる。また、原稿を移動させずに副走査方向への順次読み取りを行う手法として、フルレートキャリッジやハーフレートキャリッジといった移動体によって、複数のミラーを移動させて副走査方向への読み取りを順次行うやり方もある。
【０００４】
この読み取り方式では、上述したように、光源を原稿に当てその反射光を幾つかのミラーを介してＣＣＤセンサで読み取る必要があることから、ユニット全体が大きくなりがちであった。特に、原稿を反転させずに両面を読み取るために複数のイメージセンサを設ける必要がある場合には、このようなＣＣＤセンサを複数設けることは、スペース状の制約からも難しい。そこで、かかるスペースの問題を解決するために、形状の小さいＬＥＤ(Light Emitting Diode：発光ダイオード)を光源に利用し、例えばセルフォックレンズを介してリニアセンサで画像を直接読み取るＣＩＳ(Contact Image Sensor)と呼ばれるイメージセンサを用いる方法がある。
【０００５】
両面同時読み取り・両面印刷が可能な複写機では、表面への印刷と裏面への印刷で濃度特性が異なる場合があるので、表面と裏面の濃度差を少なくするためにキャリブレーションを行う必要がある。例えば、特許文献１では、搬送される原稿の第１面をカラー画像あるいは白黒画像として読み取るＣＣＤイメージセンサと、搬送される原稿の第２面を白黒画像として読み取るＣＩＳとを備えた画像読み取り装置において、原稿の一度の搬送で原稿の両面を白黒画像として読み取る１パスによる両面同時読み取りモードでは、ＣＣＤイメージセンサによって読み取られた第１面のカラー画像データを用いて同じくＣＣＤイメージセンサによって読み取られた第１面の白黒画像データを補正し、ＣＩＳによって読み取られた第２面の白黒画像データにその画像濃度を近づける技術が開示されている。
【０００６】
かかる状況の中、キャリブレーションを行うことを考慮した場合、スキャナ側のキャリブレーションとプロッタ側のキャリブレーションを２回行う手間が生じてしまう。また、キャリブレーションを行う場合、従来では１枚毎のキャリブレーションパターンを出力し、各々の読み取り装置で読み取る場合、同じパターンを読み取った場合でも読み取り装置の読み取り位置に依存してキャリブレーション結果が異なるため、濃度特性が変化してしまうことがある。このため、キャリブレーション回数を少なくしてユーザに手間を取らせず、且つ両面同時読み取りに起因する濃度差を低減するためのキャリブレーションを効率良く行うことが望まれる。
【０００７】
【特許文献１】特開２００５−２１０２６８号公報
【発明の開示】
【発明が解決しようとする課題】
【０００８】
本発明は、上記に鑑みてなされたものであり、原稿の一度の搬送で原稿の表裏両面に形成された画像を読み取る際に、表裏両面の読み取りデータの画像濃度差を簡単な方法でかつ高精度に低減することが可能な画像処理装置、画像処理方法、およびコンピュータが実行可能なプログラムを提供することを目的とする。
【課題を解決するための手段】
【０００９】
上述した課題を解決し、目的を達成するために、本発明は、テストチャートのパターンを読み取ってキャリブレーションを行う画像処理装置において、原稿を給紙する給紙部と、前記給紙部により給紙された前記原稿が搬送される搬送路と、前記搬送路の一方の側から前記原稿の第１面の画像を読み取る第１の読み取り部と、前記一方の側とは前記搬送路を介して対向する他方の側から原稿の第２面の画像を読み取る第２の読み取り部と、印刷媒体の両面印刷が可能に構成されており、画像を前記印刷媒体に印字出力する画像出力手段と、前記画像出力手段に、複数のパッチのパターンで構成されるテストチャートを前記印刷媒体に印字出力させるテストチャート出力手段と、を備え、前記テストチャートは、第１面と第２面とでパターンが異なることを特徴とする。
【００１０】
また、上述した課題を解決し、目的を達成するために、本発明は、テストチャートのパターンを読み取ってキャリブレーションを行う画像処理方法において、給紙部により給紙された原稿が搬送される搬送路の一方の側から前記原稿の第１面の画像を第１の読み取り部により読み取る工程と、前記一方の側とは前記搬送路を介して対向する他方の側から前記原稿の第２面の画像を第２の読み取り部により読み取る工程と、複数のパッチで構成されるテストチャートを印刷媒体に印字出力する工程と、を含み、前記テストチャートは、第１面と第２面とでパターンが異なることを特徴とする。
【００１１】
また、上述した課題を解決し、目的を達成するために、本発明は、テストチャートのパターンを読み取ってキャリブレーションを行う画像処理装置に搭載されるプログラムにおいて、コンピュータに、給紙部により給紙された原稿が搬送される搬送路の一方の側から前記原稿の第１面の画像を第１の読み取り部により読み取る工程と、前記一方の側とは前記搬送路を介して対向する他方の側から前記原稿の第２面の画像を第２の読み取り部により読み取る工程と、複数のパッチのパターンで構成されるテストチャートを前記印刷媒体に印刷して出力する工程と、を実行させ、前記テストチャートは、第１面と第２面とでパターンが異なることを特徴とする。
【発明の効果】
【００１２】
本発明によれば、テストチャートのパターンを読み取ってキャリブレーションを行う画像処理装置において、原稿を給紙する給紙部と、前記給紙部により給紙された前記原稿が搬送される搬送路と、前記搬送路の一方の側から前記原稿の第１面の画像を読み取る第１の読み取り部と、前記一方の側とは前記搬送路を介して対向する他方の側から原稿の第２面の画像を読み取る第２の読み取り部と、印刷媒体の両面印刷が可能に構成されており、画像を前記印刷媒体に印字出力する画像出力手段と、前記画像出力手段に、複数のパッチのパターンで構成されるテストチャートを前記印刷媒体に印字出力させるテストチャート出力手段と、を備え、前記テストチャートは、第１面と第２面とでパターンが異なることとしたので、原稿の一度の搬送で原稿の表裏両面に形成された画像を読み取る際に、表裏両面の読み取りデータの画像濃度差を簡単な方法でかつ高精度に低減することが可能な画像処理装置を提供することが可能になるという効果を奏する。
【発明を実施するための最良の形態】
【００１３】
以下に、この発明にかかる画像処理装置、画像処理方法、およびコンピュータが実行可能なプログラムの好適な実施の形態につき図面を参照しつつ詳細に説明する。なお、この実施の形態によりこの発明が限定されるものではない。また、下記実施の形態における構成要素には、当業者が容易に想定できるものまたは実質的に同一のものが含まれる。
【００１４】
（実施の形態１）
図１は、本発明の実施の形態１に係るデジタル画像処理装置（ＭＦＰ：Multifunction Peripheral）の全体構成図を示している。デジタル画像処理装置は、図１に示すように、読み取り装置（両面同時読み取り装置）１と、画像データ処理装置２と、バス制御装置３と、ＨＤＤ４と、ＣＰＵ５と、メモリ６と、プロッタＩ／Ｆ装置７と、プロッタ装置８と、操作表示装置９と、回線Ｉ／Ｆ装置１０と、外部Ｉ／Ｆ装置１１と、Ｓ．Ｂ．１２と、ＲＯＭ１３と、内部スピーカ装置１７とを備えている。
【００１５】
読み取り装置１は、両面同時読み取りが可能に構成されており、原稿をスキャンして得られる原稿の濃淡情報に基づいて、ＲＧＢ各８ビットのデジタル画像データを生成して画像データ処理装置２に出力する。画像データ処理装置２は、読み取り装置１から入力されるデジタル画像データに対して、後述する画像処理を施してバス制御装置３に出力する。
【００１６】
バス制御装置３は、デジタル画像処理装置内で必要な画像データや制御コマンド等各種データのやり取りを行う。ＨＤＤ４は、デジタル画像データおよびデジタル画像データの付帯情報を蓄積するための記憶装置である。ＣＰＵ５は、ＲＯＭ１３に格納されたプログラムに従って、デジタル画像処理装置の制御全体を司るマイクロプロセッサである。メモリ６は、ＣＰＵ５が本デジタル画像処理装置の制御を行う際に、プログラムや中間処理データを一時的に記憶するためのなどに使用される揮発性メモリである。
【００１７】
プロッタＩ／Ｆ装置７は、ＣＰＵ５から送られてくるＣＭＹＫのデジタル画像データを受け取り、プロッタ装置８の専用Ｉ／ＦであるプロッタＩ／Ｆ装置７に出力する。プロッタ装置８は、両面印刷が可能に構成されており、ＣＭＹＫのデジタル画像データを受け取ると、レーザービームを用いた電子写真プロセスなどにより、転写紙に印字出力する。
【００１８】
Ｓ．Ｂ．１２は、Ｓｏｕｔｈ  Ｂｒｉｄｇｅと呼ばれるバスのブリッジ機能を汎用回路化したものである。ＲＯＭ１３は、ＣＰＵ５がデジタル画像処理装置の制御を行う際のプログラムが格納されるメモリである。操作表示装置９は、デジタル画像処理装置のユーザインターフェースであり、ＬＣＤ（液晶表示装置）とキースイッチ等から構成され、装置の各種状態や操作方法をＬＣＤに表示し、ユーザからのキースイッチ入力を検知する。内部スピーカ装置１７は、操作表示装置９のアクションに従って音声や特定の警告音を発生する。
【００１９】
また、デジタル画像処理装置は、装置外にあるＦＡＸ１４と、電話回線及び回線Ｉ／Ｆ装置１０を介して、画像データの授受を行う。さらに、デジタル画像処理装置（ＭＦＰ）は、装置外にあるＰＣ１５と、ネットワーク（イーサネット（登録商標））及び外部Ｉ／Ｆ装置１１を介して、各種制御や画像データの入出力を行う。
【００２０】
図２は、読み取り装置１の概略のメカ構成を示す図である。図２において、読み取り装置１の内部には、キセノンランプや蛍光灯で構成される光源１１１と露光を受ける白版１１０とミラー１１３とを備えた第１の走行体１１２、ミラー１１４、１１５を備えた第２の走行体１１６、レンズ１１７、第１の読み取り部１１８（実施の形態１では、一次元のＣＣＤ）と、シートスルードキュメントフィーダ（ＳＤＦ）ユニット１０４と、原稿押さえ板の上部に設けられた原稿台１０１が備えられている。
【００２１】
ＳＤＦユニット１０４内では、ＣＰＵ５によってステッピングモータ１０６が駆動さ、原稿台１０１にセットされた原稿１００を、分離ローラ１０２、搬送ローラ１０５を介して搬送していき、第１の走行体１１２の所定の読取位置まで搬送する。このとき原稿１００は一定速度で搬送されていき、そして第１の走行体１１１２は、停止したままで原稿面の第１の面（表面）の画像データを第１の読み取り部１１８（実施の形態１では、一次元のＣＣＤ(Charge Coupled Device)センサ）で読み取る。両面読み取り時には、白基準板１０７が読み込まれた後、裏面読み取り用のランプ１０８からの光を原稿１００の裏面に照射し、その反射光を第２の読み取り部１０９（実施の形態１では、複数のＣＩＳ（Contact Image Sensor））により読み取り、原稿の第２面（裏面）のデジタル画像データを得る。これにより、原稿の表の面と裏の面の画像データを同時に得ることができる。
【００２２】
図３−１は、第１の読み取り部１０８の概略の配置例を示す図である。図３−１に示すように、第１の読み取り部１０８は、一次元のＣＣＤ(Charge Coupled Device)センサが主走査方向に直交する方向に配置されている。図３−２は、第２の読み取り部１０９の概略の配置例を示す図である。図３−２に示すように、第２の読み取り部１０９は、第１〜第３の３つのＣＩＳ１，ＣＩＳ２，ＣＩＳ３が主走査方向に対して直交する方向に、千鳥状に配置され、かつ隣接する各ＣＩＳの読取範囲が重複して配置されている。
【００２３】
図４は、画像データ処理装置２の構成例を示す図である。画像データ処理装置２は、スキャナγ変換部２１と、フィルタ処理部２２と、色補正部２３と、γ補正部２４と、階調処理部２５と、テストチャート出力部２６とを備えている。
【００２４】
画像データ処理装置２では、読み取り装置１で読み取った第１面の入力画像データと第２面の入力画像データに対してそれぞれ画像処理を行う。
【００２５】
スキャナγ変換部２１は、デバイスＲＧＢを特定の色空間に変換する。フィルタ処理部フィルタ処理２２は、画像の写真部の平滑化や文字部の強調を行う。色補正部２３は、スキャナγ変換部２１において生成されたＲＧＢ色空間を墨処理等行い、ＣＭＹＫ色空間に変換する。γ補正部２４は、画質モードや使用する階調処理の種類に応じて、γ補正テーブルを使用してγ変換を行うγ補正処理部３１と、キャリブレーション実行命令が入力された場合に、読み取り装置１０１で読み取ったテストチャートの濃度データ等が、目標値となるように、γ補正処理部３１のγ補正テーブルを補正して、γ補正テーブルを作成するキャリブレーション処理部３２とを備えている。階調処理部２５は、ディザ処理や誤差拡散などの階調処理を行う。
【００２６】
テストチャート出力部２６は、テストチャートのデータを格納しており、キャリブレーションを実行する場合に、濃度の異なる複数パッチのパターンで構成されるテストチャートをプロッタ装置８から出力させる。
【００２７】
図５−１はテストチャートの第１面の一例、図５−２は、テストチャートの第２面の一例を示す図である。なお、図５−１および図５−２において、波線はパターンの位置を説明するためのものであり、テストチャートに形成されるものではない。テストチャートには、図５−１および図５−２に示すように、第１面と第２面で異なる構成のパターンを形成している。第２面には、ＣＩＳ１〜３同士の重複または位置隣接を避けるように、ＣＩＳ１〜３の繋ぎ目ではない位置にパターンを出力する。第１面には、ＣＩＳ１，２，３の繋ぎ目に相当する位置、すなわち、第２面のパターンを避けて重ならない位置にパターンを出力する。第１面と第２面のパターンが互いに位置がずれているため、たとえ裏写りがあっても反対側の面のパターンのパッチの濃度に影響が及ぶことはない。
【００２８】
つぎに、上記図１のデジタル画像処理装置のキャリブレーションの手順について説明する。図５−３は、デジタル画像処理装置のキャリブレーションの手順を説明するためのフローチャートである。
【００２９】
まず、操作表示装置９からキャリブレーション用のテストチャートの印刷指示が入力された場合（ステップＳ１）、画像データ処理装置２のテストチャート出力部２６は、同一の印刷用紙の第１面（表面）と第２面（裏面）に第１面用のテストチャートと第２面用のテストチャートとをそれぞれ出力する（ステップＳ２）。
【００３０】
ユーザまたはサービスマンは、テストチャートの第１面を表側にして、読み取り装置１の原稿台１０１にセットする（ステップＳ３）。そして、操作表示装置９からキャリブレーションの実行指示が入力されると（ステップＳ４）、読み取り装置１では、テストチャートの第１面および第２面のパターンを同時に読み取り、読み取った第１面および第２面のパターンのデータは、それぞれ画像データ処理装置２に出力される（ステップＳ５）。画像データ処理装置２では、第１面および第２面のパターンのデータは、スキャナγ変換部２１でスキャナγ変換、フィルタ処理部２２でフィルタ処理、および色補正処理部２３で色変換が行われた後、γ補正部２４に入力する。
【００３１】
γ補正部２４では、キャリブレーション処理部３２は、第１面および第２面の読み取ったパターンのデータを、それぞれ、濃度換算またはＬａｂから算出した値に換算し、予め定められた入力特性に従って決定された目標濃度または目標ｄｉｓｔａｎｃｅ値（補正用データ）との差分を補正するような第１面および第２面用のγテーブルをそれぞれ作成する（ステップＳ６）。なお、読み取ったパターンのデータに基づいたキャリブレーションの具体的方法は特許第３７８９６６２号に記載されている方法を使用することができるので、ここでは、その詳細な説明を省略する。キャリブレーション処理部３２で作成されたγテーブルはγ補正処理部３１に格納され、第１面の読み取りデータに対しては、第１面用のγテーブルを使用してγ変換が行われ、第２面の読み取りデータに対しては、第２面用のγテーブルを使用してγ変換が行われる。これにより、簡易なキャリブレーションにより原稿の表面と裏面で画像濃度差の少ない印刷画像を得ることができる。
【００３２】
図６は、γテーブルを説明するための図である。図６において、横軸は入力（テストチャートの濃度）、縦軸はｄｉｔａｎｃｅ値を示しており、ｔａｒｇｅｔは目標値（ｄｉｓｔａｎｃｅ値）であり、ＣＩＳ１，ＣＩＳ２，ＣＩＳ３、ＣＣＤで読み取った値からｄｉｓｔａｎｃｅ値を算出した場合を示している。目標値と各ＣＩＳ１，ＣＩＳ２，ＣＩＳ３、ＣＣＤにおけるｄｉｓｔａｎｃｅ値との差分からγテーブルをそれぞれ作成する。
【００３３】
すなわち、第１面用に、ＣＣＤ（単一のイメージセンサ）に対するγテーブルを作成する。他方、第２面用には、ＣＩＳ１，ＣＩＳ２，ＣＩＳ３の繋ぎ目が２箇所あり、出力したＣＭＹＫパターンが３種類となるので、各ＣＩＳ用にγテーブルを３種類作成する。これにより、経時変化および読み取り装置が異なる場合でも出力時の濃度差を低減することが可能なγテーブルを作成することができ、読み取り装置の構成に応じて適切なキャリブレーションを行うことが可能となる。
【００３４】
なお、ここではＣＩＳ毎にγテーブルを作成することにしているが、ＣＩＳ各々の入出力の関係を加重平均して１つのγテーブルを作成することにしてもよい。
【００３５】
また、本実施の形態では、第１面にＣＣＤ，第２面に複数のＣＩＳを採用する構成としたが、本発明は、これに限られるものではなく、第１面および第２面の両者をＣＩＳにすることにしてもよい。
【００３６】
実施の形態１によれば、同一の印刷媒体の第１面と第２面に第１面用のテストチャートと第２面用のテストチャートとをそれぞれ出力する場合、第１面と第２面で異なる構成のパターンを出力しキャリブレーションすることとしたので、読み取り部の構成に応じて最適なキャリブレーションを行うことができ、原稿の一度の搬送で原稿の表裏両面に形成された画像を読み取る際に、表裏両面の読み取りデータの画像濃度差を簡単な方法でかつ高精度に低減することが可能となる。
【００３７】
また、実施の形態１によれば、テストチャートの第１面（ＣＣＤ側）にＣＩＳ１，２，３の繋ぎ目に相当する位置にパターンを出力し、第２面（ＣＩＳ側）にＣＩＳ１，２，３の繋ぎ目でない位置にパターンを出力しているので、第２面（ＣＩＳ側）にＣＩＳ１，２，３の繋ぎ目でない位置にパターンを出力することで、ＣＩＳ１，２，３でテストチャートの第２面を読み取る場合にパターンのパッチの濃度を正確に検出して、高精度に第２面のキャリブレーションを行うことができ、また、第１面と第２面のパターンが互いに位置がずれているため、たとえ裏写りがあっても反対側の面のパターンのパッチの濃度に影響が及ぶことはないため、両面のセンサの位置関係を考慮して高精度なキャリブレーションを行うことが可能となる。
【００３８】
（実施の形態２）
実施の形態２において、実施の形態１と同様な部分はその説明を省略し、異なる点についてのみ説明する。図７−１は、第１面のテストチャートの一例を示す図である。上から下方向への階調パターンと下から上方向への階調パターンを出力する。これは例えば、左右差の補正行うと同時に第１面と第２面の区別を行うことが出来るため、誤って意図した面と逆の面を読ませても誤検知を防ぐことができる。図７−２は、第２面のテストチャートの一例を示す図である。第２面は、第１面のチャート印字面とＣＩＳの繋ぎ目を避けるように配置している。このような配置のテストチャートを読ませることによって、精度よくキャリブレーションを行うことができる。
【００３９】
実施の形態２によれば、テストチャートの第２面にイメージセンサで読み取るための連結や隣接位置を避けるようなテストチャートを生成し、第１面に単一のイメージセンサで読み取るテストチャートを出力し、最適な読み取り情報を得ることによって読み取り部毎に最適なキャリブレーションを１度に行うことが可能となる。
【００４０】
（実施の形態３）
実施の形態３において、実施の形態１と同様な部分はその説明を省略し、異なる点についてのみ説明する。実施の形態３では、図１の第１の読み取り部１１８は、複数のＣＩＳ（ＣＩＳ１１、ＣＩＳ２１、ＣＩＳ３１）で構成されており（以下、「第１のＣＩＳ」と称する）、また、第２の読み取り部１０９は、複数のＣＩＳ（ＣＩＳ１２、ＣＩＳ２２、ＣＩＳ３２）で構成されている（以下、「第２のＣＩＳ」と称する）。
【００４１】
図８−１および図８−２は、実施の形態３のテストチャートの一例を示しており、図８−１はテストチャートの第１面（第１のＣＩＳ側で読み取る面）の例、図８−２はテストチャートの第２面（第２のＣＩＳ側で読み取る面）の例を示している。
【００４２】
図８−１および図８−２に示すように、第１面および第２面では、第１のＣＩＳおよび第２のＣＩＳの繋ぎ目の位置をそれぞれ避けてパターンを形成し、かつ、色版のパターンを継ぎ目から遠ざけた位置に形成し、Ｋ版のパターンを継ぎ目に近い位置に形成する。また、第１面では、第２のＣＩＳの繋ぎ目に相当する位置にＫ版のパターンを形成し、他方、第２面では、第１のＣＩＳの繋ぎ目に相当する位置にＫ版のパターンを形成するのが望ましい。これにより、複数のＣＩＳを配置したことに起因する色版補正の精度の落ち込みによる混色特性の劣化を低減したキャリブレーションを行うことができ、かつ、多数のパターンを配置する場合にも、用紙レイアウトを効率的に配置することができる。なお、ここでは、第１の読み取り部１１８および第２の読み取り部１０９を複数のＣＩＳで構成することにしたが、いずれか一方のみを複数のＣＩＳで構成することにしてもよい。
【００４３】
実施の形態３によれば、第１の読み取り部１１８および第２の読み取り部１０９の少なくとも一方を複数のイメージセンサで構成し、複数のイメージセンサで構成される読み取り部に対応するテストチャートの面では、複数のイメージセンサの繋ぎ目に相当する位置から離れた位置に色版のパターンを形成し、複数のイメージセンサの繋ぎ目に相当する位置の近傍にＫ版のパターンを形成することとしたので、イメージセンサの繋ぎ目にテストチャートの色版のパターンがくるのを避けることができ、混色によるグレー再現性の劣化を防止することが可能となる。
【００４４】
（実施の形態４）
実施の形態４において、実施の形態１と同様な部分はその説明を省略し、異なる点についてのみ説明する。実施の形態４では、図１の第１の読み取り部１１８および第２の読み取り部１０９を、単一のＣＣＤおよび複数のＣＩＳのいずれで構成してもよい。図９は、第１の読み取り部１１８および第２の読み取り部１０９のリニアリティ特性の一例を示す図である。同図において、横軸はテストチャートのパッチ番号を示し、縦軸は入力値を示し（白が「２５５」で黒が「０」）、Ｒ＿１、Ｇ＿１、Ｂ＿１は、第１の読み取り部１１８、Ｒ＿２、Ｇ＿２、Ｂ＿２は、第２の読み取り部１０９を示している。
【００４５】
同図に示す例では、第１の読み取り部１１８はほぼリニアな傾向を示しているのに対して、第２の読み取り部１０９は濃い側に歪んでいる。第１の読み取り部１１８のようなリニア特性の場合、テストチャートとして、階調値が均等なパッチを出力して補完演算を行ってキャリブレーションしてもよい。他方、第２の読み取り部１０９のようなリニア特性の場合は、パッチの階調値を均等にすると歪み分の補完精度が低下してしまう。
【００４６】
ここで、パッチの階調値を変化させて補完位置をずらすといった方法があるが、個体差によって補完する精度が下がってしまうという問題がある。この対策として、出力パッチ数とパッチの密度を歪率の大小によって変化させることが望ましい。図１０は。出力パッチの階調値の一例を示す図である。出力パッチの階調値は、ＣＭＹＫ版全て同じでも、各色のエンジン特性を考慮して個別に設定してもよい。以上のように設定した第１面と第２面のテストチャートでキャリブレーションすることにより、より補完精度の高いキャリブレーションを行うことが可能となる。尚、実施の形態４は、他の実施の形態１〜３と組み合わせて実施することにしてもよい。また、歪率から出力パッチ数とパッチ階調値をプログラムによって決定するような処理プログラムを実装することにしてもよい。
【００４７】
実施の形態４によれば、第１面を読み取る第１の読み取り部１１８および第２面を読み取る第２の読み取り部１０９のリニア特性に従って、テストチャートの第１面および第２面のパッチ数を変化させて出力することとしたので、最適なキャリブレーションを行うことが可能となる。
【００４８】
（プログラム）
なお、本発明の画像処理装置は、複数の機器（例えば、ホストコンピュータ、インターフェイス機器、スキャナ、プリンタ等）から構成されるシステムに適用しても、１つの機器から構成される装置（ホストコンピュータ等）に適用しても良い。
【００４９】
また、本発明の目的は、上述した画像処理装置の機能を実現するソフトウエアのプログラムコードを記録した記録媒体を、システムまたは装置に供給し、そのシステムまたは装置のコンピュータ（または、ＣＰＵ、ＭＰＵ、ＤＳＰ）が記録媒体に格納されたプログラムコードを実行することによっても達成することが可能である。この場合、記録媒体から読み出されたプログラムコード自体が前述した画像処理装置の機能を実現することになり、そのプログラムコードまたはそのプログラムを記憶した記録媒体は本発明を構成することになる。プログラムコードを供給するための記録媒体としては、ＦＤ、ハードディスク、光ディスク、光磁気ディスク、ＣＤ−ＲＯＭ、ＣＤ−Ｒ、磁気テープ、不揮発性のメモリ、ＲＯＭなどの光記録媒体、磁気記録媒体、光磁気記録媒体、半導体記録媒体を使用することができる。
【００５０】
また、コンピュータが読み出したプログラムコードを実行することにより、前述した画像処理装置の機能が実現されるだけでなく、そのプログラムコードの指示に基づき、コンピュータ上で稼働しているＯＳ（オペレーティングシステム）などが実際の処理の一部または全部を行い、その処理によって前述した画像処理装置の機能が実現される場合も含まれることは言うまでもない。
【００５１】
また、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した画像処理装置の機能が実現される場合も含まれることは言うまでもない。
【図面の簡単な説明】
【００５２】
【図１】図１は、本発明の実施の形態１に係るデジタル画像処理装置（ＭＦＰ：Multifunction Peripheral）の全体構成図である。
【図２】読み取り装置の概略のメカ構成を示す図である。
【図３−１】第１の読み取り部の概略の配置例を示す図である。
【図３−２】第２の読み取り部の概略の配置例を示す図である。
【図４】画像処理装置の構成例を示す図である。
【図５−１】テストチャートの第１面の一例を示す図である。
【図５−２】テストチャートの第２面の一例を示す図である。
【図５−３】キャリブレーションの手順を説明するためのフローチャートである。
【図６】γテーブルを説明するための図である。
【図７−１】本発明の実施の形態２に係るテストチャートの第１面の一例を示す図である。
【図７−２】本発明の実施の形態２に係るテストチャートの第２面の一例を示す図である。
【図８−１】本発明の実施の形態３に係るテストチャートの第１面の一例を示す図である。
【図８−２】本発明の実施の形態３に係るテストチャートの第２面の一例を示す図である。
【図９】実施の形態４に係る第１の読み取り部および第２の読み取り部のリニアリティ特性の一例を示す図である。
【図１０】出力パッチの階調値の一例を示す図である。
【符号の説明】
【００５３】
１  読み取り装置
２  画像データ処理装置
３  バス制御装置
４  ＨＤＤ
５  ＣＰＵ
６  メモリ
７  プロッタＩ／Ｆ装置
８  プロッタ装置
９  操作表示装置
１０  回線Ｉ／Ｆ装置
１１  外部Ｉ／Ｆ装置
１２  Ｓ．Ｂ．
１３  ＲＯＭ
１４  ＦＡＸ
１５  ＰＣ
１７  内部スピーカ装置
２１  スキャナγ変換部
２２  フィルタ処理部
２３  色補正部
２４  γ補正部
２５  階調処理部
２６  テストチャート出力部
３１  γ補正処理部
３２  キャリブレーション処理部
１０９  第２の読み取り部
１１８  第１の読み取り部
【図１】
2010114648.tif 000003
【図２】
2010114648.tif 000004
【図３−１】
2010114648.tif 000005
【図３−２】
2010114648.tif 000006
【図４】
2010114648.tif 000007
【図５−３】
2010114648.tif 000008
【図６】
2010114648.tif 000009
【図９】
2010114648.tif 000010
【図１０】
2010114648.tif 000011
【図５−１】
2010114648.tif 000012
【図５−２】
2010114648.tif 000013
【図７−１】
2010114648.tif 000014
【図７−２】
2010114648.tif 000015
【図８−１】
2010114648.tif 000016
【図８−２】
2010114648.tif 000017